(57)【要約】      （修正有）【課題】別の紙に記載された御朱印を授与された後、糊による貼付けを不要とすることで御朱印をすぐに挟んで綴じることができ、貼付けの手間を省くとともに、参拝した順番を明確にできる御朱印帳を提供する。【解決手段】表紙１０と、表紙に綴じられその表面に粘着層を有する複数の台紙２０と、台紙に剥離自在に貼着される透明シート３０と、を備え、台紙と透明シートとの間に御朱印を挟むことができる。さらに、粘着層が、台紙と透明シートとの間に挟まれた御朱印を剥がすことができる低粘着性である。【選択図】図１
0003199278.tif 000002
【実用新案登録請求の範囲】
【請求項１】
表紙と、
前記表紙に綴じられその表面に粘着層を有する複数の台紙と、
前記台紙に剥離自在に貼着される透明シートと、を備え、
前記台紙と前記透明シートとの間に御朱印を挟むことができることを特徴とする御朱印帳。
【請求項２】
前記粘着層が、前記台紙と前記透明シートとの間に挟まれた御朱印を剥がすことができる低粘着性であることを特徴とする請求項１に記載の御朱印帳。
【考案の詳細な説明】
【技術分野】
【０００１】
本考案は、寺社において参拝のしるしとして授与される御朱印を保管するための御朱印帳に関する。
【背景技術】
【０００２】
従来、寺社において参拝のしるしとして授与される御朱印を保管するための御朱印帳として、御朱印帳を構成する紙自体に直接御朱印が記載されるものが流通していた（例えば特許文献１）。
【先行技術文献】
【特許文献】
【０００３】
【特許文献１】実用新案登録第３１０４７０３号公報
【考案の概要】
【考案が解決しようとする課題】
【０００４】
しかし、御朱印帳に直接御朱印を記載せず、予め別の紙に御朱印を記載しておき、参拝者がそれを頂くことによって御朱印を授与されるという方法が近年増えている。このような場合、参拝者は授与された御朱印を後で御朱印帳に糊等を用いて貼付けなければならず、貼付けの手間が必要となっていた。また、複数の寺社を連続して参拝した際に授与された複数の御朱印を重ねて携帯し、後で御朱印を御朱印帳に貼付けるときに参拝した順番がわからなくなってしまう恐れがあるという課題があった。
【０００５】
本考案は、上記の点に鑑みなされたもので、別の紙に記載された御朱印を授与された後、糊による貼付けを不要とすることで御朱印をすぐに挟んで綴じることができ、貼付けの手間を省くとともに、参拝した順番を明確にできる御朱印帳を提供することを目的とする。
【課題を解決するための手段】
【０００６】
本考案の御朱印帳は、
前記表紙に綴じられその表面に粘着層を有する複数の台紙と、
前記台紙に剥離自在に貼着される透明シートと、を備え、
前記台紙と前記透明シートとの間に御朱印を挟むことができることを特徴とする。
【０００７】
本考案の御朱印帳の好ましい例は、
前記粘着層が、前記台紙と前記透明シートとの間に挟まれた御朱印を剥がすことができる低粘着性であることを特徴とする。
【考案の効果】
【０００８】
本考案の御朱印帳によれば、別の紙に記載された御朱印を授与された場合において、糊による貼付けを不要とすることで御朱印をすぐに挟んで綴じることができ、貼付けの手間を省くとともに、参拝した順番を明確にすることができる。
【０００９】
また、粘着層を低粘着性とすることで、綴じた御朱印を後で剥がすことができ、参拝者の好みに応じた順番に綴じ直すことができる。
【図面の簡単な説明】
【００１０】
【図１】本考案の一実施形態に係る御朱印帳を示す図である。
【図２】御朱印帳を開き透明シートの一部を剥離させた図である。
【図３】御朱印を台紙に貼付け透明シートを貼着させる状態を示す図である。
【図４】御朱印を台紙に貼付け透明シートを完全に貼着させた状態を示す図である。
【考案を実施するための形態】
【００１１】
以下、本考案の御朱印帳の実施の形態について、添付図面を参照して詳細に説明する。
【００１２】
図１は本考案の一実施形態に係る御朱印帳を示す図、図２は御朱印帳を開き透明シートの一部を剥離させた図である。また、図３は御朱印を台紙に貼付け透明シートを貼着させる状態を示す図、図４は御朱印を台紙に貼付け透明シートを完全に貼着させた状態を示す図である。
【００１３】
図１及び図２に示すように、本実施形態の御朱印帳１は、表紙１０と、台紙２０と、透明シート３０とを備える。
【００１４】
表紙１０は、表表紙１１と裏表紙１２と背表紙１３から構成され、それぞれが互いに折曲げ可能に連結されている。
【００１５】
台紙２０は、表表紙１１及び裏表紙１２より一回り小さな大きさとされ、その一辺が背表紙１３の裏側に接着剤等で接合されることで綴じられる。また、台紙２０は複数枚、例えば８枚〜１６枚程度が重ねられて綴じられ、一枚一枚を捲ることができる。また、台紙２０の表面には粘着層２１が設けられ、透明シート３０及び御朱印を貼着させることができる。なお、この粘着層２１は、透明シート３０及び御朱印を容易に剥がし、かつ再貼着させることができるよう、低粘着性の不乾性接着剤を用いることが好ましい。
【００１６】
透明シート３０は、台紙２０に剥離自在に貼着されたもので、台紙２０の背表紙側の辺２２近傍から剥がして捲ることができる。また、透明シート３０は、台紙２０の背表紙と反対側の辺２３にて、台紙２０と強固に接着され、台紙２０と完全に分離されることはない。なお、上述の粘着層２１は、台紙２０の表面のうち透明シート３０が貼着される範囲のみに設けられている。
【００１７】
次に、図２〜図４を参照して、本実施形態の御朱印帳１の使用方法を説明する。先ず、図２に示すように、御朱印帳１を開いた状態で、台紙２０から透明シート３０を剥離させ捲る。このとき、既に述べたように透明シート３０は台紙２０の背表紙と反対側の辺２３で強固に接着されているため、台紙２０の表面から剥離されても分離することはない。
【００１８】
次に、図３に示すように、台紙２０の粘着層の上に御朱印５０を載置させ貼付ける。そして透明シート３０を元のように被せる。次に、図４に示すように透明シート３０を台紙２０及び御朱印５０に完全に被せ、御朱印５０の周囲に現れている台紙２０の粘着層２１に貼着させる。これにより台紙２０と透明シート３０との間に御朱印５０を挟み固定することができる。
【００１９】
また、台紙２０と透明シート３０との間に挟んだ御朱印５０を取り出すときは、台紙２０から透明シート３０を捲り、その後に御朱印５０を台紙２０の粘着層２１から剥がせばよい。
【００２０】
以上説明したように、本実施形態の御朱印帳によれば、寺社において別の紙に記載された御朱印を授与された場合、糊による貼付けを不要とすることで御朱印をすぐに台紙と透明シートとの間に挟んで綴じることができ、貼付けの手間を省くことができる。また、複数の寺社を連続して参拝するとき等、授与された御朱印を直接重ねて携帯することがなくなるため、参拝した順番が入れ替わることなく、参拝した順番を明確にすることができる。
【００２１】
また、粘着層を低粘着性とすることで、綴じた御朱印を後で容易に剥がすことができ、参拝者の好みに応じた順番に綴じ直すことや、別の御朱印帳に貼付け等することができる。
【符号の説明】
【００２２】
１・・御朱印帳
１０・・表紙、１１・・表表紙、１２・・裏表紙、１３・・背表紙、
２０・・台紙、２１・・粘着層、２２・・背表紙側の辺、２３・・背表紙と反対側の辺、
３０・・透明シート、
５０・・御朱印、
【図１】
0003199278.tif 000003
【図２】
0003199278.tif 000004
【図３】
0003199278.tif 000005
【図４】
0003199278.tif 000006